(57)【要約】【課題】広告効果が高く、しかもフォトフレームとして再利用することができる広告用台紙を提供する。【解決手段】台紙１の中央部分に折れ線２を設けて二つ折りにし、その一方側３の表面に商品情報や会社情報等の広告情報掲載欄が設けられた広告用台紙であって、前記台紙１の他方側４には、切取線８によって区画された写真表示用の窓孔形成部９を設け、前記台紙１の一方側３には、前記折れ線２と対向する縁よりの位置に前記他方側３と所定間隔離して該他方側３に接続するための切り起し片５を設けたことを特徴としている。【選択図】図１
2013134382.tif 000002
【特許請求の範囲】
【請求項１】
台紙の中央部分に折れ線を設けて二つ折りにし、その一方側の表面に商品情報や会社情報等の広告情報掲載欄が設けられた広告用台紙であって、
前記台紙の他方側には、切取線によって区画された写真やカードなどの表示用の窓孔形成部を設け、前記台紙の前記一方側には、前記折れ線と対向する縁よりの位置に前記他方側と所定間隔離して該他方側に接続するための切り起し片を設けたことを特徴とする広告用台紙。
【請求項２】
前記台紙の前記他方側であって、前記窓孔形成部以外の箇所に写真やカードなどの縁部を差し込む保持片が複数形成されていることを特徴とする請求項１記載の広告用台紙。
【請求項３】
二つ折りにされた前記台紙の前記一方側と前記他方側の間に物品が収容された袋の端部を挟着させたことを特徴とする請求項１又は２記載の広告用台紙。
【発明の詳細な説明】
【技術分野】
【０００１】
本発明は、フォトフレームとして使用可能な広告用台紙に関するものである。
【背景技術】
【０００２】
近時、商品や会社などを宣伝広告するための手段として、駅の周辺や街頭など比較的多くの人が通行する場所において、通行人に、商品名、商品の特徴、販売会社等を印刷したチラシやパンフレットといった販売促進物を配布するということが頻繁に行われている。もっとも、通行人は、販売促進物に何ら付加価値がないとわかると、当該販売促進物を受け取らなかったり、仮に受け取ったとしても、すぐに廃棄してしまう傾向にあり、結果として、宣伝広告主が想像していたような宣伝広告効果を享受することができないといった問題が存在していた。
【０００３】
そこで、上記問題を解決し得る販売促進物の一例として、特許文献１に記載されているようなカレンダー付きの宣伝用品が提案されている。ここで、特許文献１に記載されているカレンダー付きの宣伝用品は、カレンダーという価値が付加されていることから、街頭で通行人に配布した際、受け取ってもらえる可能性が高く、また、廃棄されることなく使用される可能性も高いという点においては有益である。その反面、カレンダーという比較的枚数の多い印刷物を付加するので、どうしてもその分のコストが掛かってしまうし、また、カレンダーが付加されている分、嵩張ってしまうことが否めないという欠点がある。
この点、通行人に配布する販売促進物は、無料で配布するものであるから、宣伝広告主としては、可能な限り安価に製作することができ、さらにそれをクリアした上で販売促進物の付加価値部分が有益であって使う人に受け入れられ易いものであることを望んでいる。また、販売促進物を受け取る通行人は、嵩張る物は受け取らない傾向が高いので、可能な限り販売促進物がコンパクトであることが望ましい。
【先行技術文献】
【特許文献】
【０００４】
【特許文献１】特開２００５−２０８２１０号公報
【発明の概要】
【発明が解決しようとする課題】
【０００５】
そこで、本発明は、これまでの販売促進物よりも安価に製作できると共にコンパクトで、なお且つ販売促進物の付加価値の高い広告用台紙を提供することを目的としている。
【課題を解決するための手段】
【０００６】
かかる目的を達成するため本発明に係る広告用台紙は、台紙の中央部分に折れ線を設けて二つ折りにし、その一方側の表面に商品情報や会社情報等の広告情報掲載欄が設けられた広告用台紙であって、前記台紙の他方側には、切取線によって区画された写真やカードなどの表示用の窓孔形成部を設け、前記台紙の前記一方側には、前記折れ線と対向する縁よりの位置に前記他方側と所定間隔離して該他方側に接続するための切り起し片を設けたことを特徴としている。
【０００７】
また、本発明に係る広告用台紙は、前記台紙の前記他方側であって、前記窓孔形成部以外の箇所に写真やカードなどの縁部を差し込む保持片が複数形成されていることを特徴としている。
【０００８】
さらに、本発明に係る広告用台紙は、二つ折りにされた前記台紙の前記一方側と前記他方側の間に物品が収容された袋の端部を挟着させて、いわゆるヘッダー台紙として使用することもできる。
【発明の効果】
【０００９】
本発明に係る広告用台紙は、フォトフレームとしても使用することができるので、街頭で販売促進物として配布した際、通行人に受け取ってもらえる確率が高い。しかも、二つ折りにした台紙の一方側の表面を広告情報の掲載欄としているので、広告機能が十分に発揮される一方で、台紙の他方側に切取線によって区画された写真表示用の窓孔形成部を設けると共に、一方側の縁よりの位置に切り起し片を設けるというシンプルな構成でありながら、フォトフレームとしての使用を可能にしているので、製作コストがきわめて安価で、且つコンパクト化することができるというメリットも享受することができる。
【図面の簡単な説明】
【００１０】
【図１】本発明に係る広告用台紙の平面図。
【図２】本発明に係る広告用台紙の平面図（窓孔形成部を切り取った状態）。
【図３】本発明に係る広告用台紙の平面図（写真表示領域に写真を載置した状態）。
【図４】本発明に係る広告用台紙の斜視図。
【図５】本発明に係る広告用台紙の斜視図。
【図６】本発明に係る広告用台紙を袋に収容した状態を示す平面図
【図７】本発明に係る広告用台紙をヘッダー台紙として使用した平面図
【発明を実施するための形態】
【００１１】
以下、本発明に係る広告用台紙の一実施の形態を図面に基づいて説明する。図１に示すように本発明に係る広告用台紙は、長方形をした台紙１の長手方向の中央に折れ線２が設けられおり、該折れ線２を境として、一方側（図１では下側）が広告情報掲載領域３、他方側（図１では上側）が写真表示領域４になっている。
【００１２】
前記台紙１は、厚紙製で、その外形サイズは、縦２０ｃｍ、横１３ｃｍになっている。また、当該台紙１を折れ線２によって二等分しているので、広告情報掲載領域３及び写真表示領域４は、いずれも縦１０ｃｍ、横１３ｃｍの大きさになる。なお、本発明に係る台紙１の外形サイズは、他のサイズにすることももちろん可能である。
【００１３】
前記広告情報掲載領域３は、その表面に商品情報や会社情報等の広告が印刷されるスペースになっており、本実施の形態では、図１及び図４に示すように、左側半分に「スマホで撮って、デコって飾ろう」「スマホ＆ケータイ用ウエットクリーナー付きフォトフレーム」といった文字情報が印刷されていて、右側半分に「○○株式会社」という会社名が印刷されている。さらに、この広告情報掲載領域３のうち、折れ線２と対向する縁（図１では下側の縁）よりの位置に、縦３ｃｍ、横２ｃｍの細長い矩形状の切り起し片５が形成されていて、この切り起し片５は、縁よりの辺部が折れ線になっていると共に、他の三辺が切り込まれていて、傾倒可能になっている。また、この切り起し片５の自由端側の先端部よりに左右１つずつ凹部６，６が形成されている。さらに、広告情報掲載領域３には、景品貼着部が設けられている。すなわち、広告情報掲載領域３の右側には、上下に斜めに切り込まれたスリット７，７が対向するように設けられていて、このスリット７，７に景品としてのスマートフォン用ウエットクリーナーの隅角部が差込まれている。なお、本実施の形態では、景品として、スマートフォン用クリーナーを例として示したが、他の物品を景品とすることももちろん可能である。
【００１４】
前記写真表示領域４は、その中央部分に略矩形状に切取線８によって区画された窓孔形成部９が設けられている。そして、この窓孔形成部９を切取線８に沿って切り取ることで、図２に示すように、写真表示領域４に窓孔１０が形成されることになる。なお、本実施の形態では、窓孔形成部９の表面に、台紙１をフォトフレームとして使用する方法が示されている。さらに、写真表示領域４のうち、折れ線２よりの中央部には、円弧状に切り込まれた写真保持片１１が設けられていると共に、折れ線２と対向する縁（図１では上側の縁）よりの位置に円弧状に切り込まれた写真保持片１１が２つ設けられている。また、該２つの写真保持片１１の間には、前述した切り起し片５の先端部分を挿入するためのスリット１２が形成されている。
【００１５】
次に上記のように構成されている本発明に係る広告用台紙の使用方法について説明する。広告用台紙は、図６に示されているように、二つ折りにされてビニールの袋に挿入された状態で配布される。ここで、本実施の形態に示す広告用台紙には、景品としてスマートフォン用ウエットクリーナーが付加されていることから、これが広告用台紙を受け取る者に対するアピールとなって、広告用台紙を受け取ってもらう確率をより高められるようになっている。また、広告用台紙を配布した際、広告用台紙の広告情報掲載領域３が上向きになっているため、該広告用台紙を受け取った者に対し、広告情報を視覚的に認識させて広告機能を発揮することができる。
【００１６】
そして、広告用台紙をフォトフレームとして使用する場合、まず、広告用台紙をビニールの袋から取り出し、景品のスマートフォン用クリーナーを取り外した後、二つ折りになっている台紙１を図１に示すように広げる。ついで、台紙１の写真表示領域４の窓孔形成部９を切取線８に沿って切り取り、図２に示すように窓孔１０を形成する。なお、窓孔形成部９の表面にはフォトフレームの使い方が示されているので、これを参考にしながらフォトフレームを組み立てることができる。窓孔１０が形成されたら、今度は、図３に示すように、台紙１を裏返し、窓孔１０を覆うように写真Ｐを裏向きの状態で写真表示領域４に載置し、写真の縁を写真保持片１１に差込む。次に、図４に示すように、台紙１を折れ線２で折り、広告情報掲載領域４に設けられている切り起し片５を内側に傾倒させ、該切り起し片５の先端の凹部６，６が写真表示領域４設けられているスリット１２に引っ掛かるまで挿し入れることで、図５に示すようにフォトフレームが完成する。
【００１７】
以上述べたとおり、本発明に係る広告用台紙は、フォトフレームとして使用し得るように構成されているので、通行人等に配布した際、受け取ってもらえる確率が高く、結果として広告機能が十分に発揮されることになる。しかも、本発明に係る広告用台紙は、上記効果をシンプルな構成で達成しているので、広告用台紙をコンパクトなサイズにすることができると共に製作コストを抑えることもできる。
【００１８】
図７は、本発明に係る広告用台紙をいわゆるヘッダー台紙として利用した他の実施形態を示すものである。すなわち、本発明に係る広告用台紙は、二つ折りにされた台紙１の一方側（広告情報掲載領域３）と他方側（写真表示領域４）の間に物品が収容された袋の端部を挟着させてヘッダー台紙として使用することも可能であり、このように使用すると、広告用台紙を受け取る者に対して、景品としての物品が視覚的に認識され易いくなり、より受け取ってもらえる確率が向上することになる。
【００１９】
なお、本実施の形態では、台紙１が厚紙によって形成されている例を示したが、これに限定されるわけではなく、プラスチックの薄板や木を薄板状にした物など、他の材質で代用することももちろん可能である。
【００２０】
また、本実施の形態では、広告用台紙に写真を利用する例を示したが、必ずしも写真のみに使用しなければならないわけではなく、例えば、種々の情報が示された紙やカードなどに利用することも可能である。
【００２１】
さらに、本実施の形態では、広告情報が広告用台紙の広告情報掲載領域３の表面に印刷されている例を示したが、広告情報を広告情報掲載領域３の裏面や写真表示領域４の裏面等に印刷することももちろん可能である。
【００２２】
また、本実施の形態では、広告情報掲載領域３に形成された切り起し片５を、写真表示領域４に形成されたスリット１２に挿入して、該切り起し片５を写真表示領域４に接続する例を示したが、これに限られるわけではない。例えば、切り起し片５の先端部に折れ線を形成し、当該部分を糊代として、該切り起し片５を接着剤で写真表示領域４に接続してもよい。
【符号の説明】
【００２３】
１      台紙
２      折れ線
３      広告情報掲載領域
４      写真表示領域
５      切り起し片
６      凹部
８      切取線
９      窓孔形成部
１１    保持片
【図１】
2013134382.tif 000003
【図２】
2013134382.tif 000004
【図３】
2013134382.tif 000005
【図４】
2013134382.tif 000006
【図５】
2013134382.tif 000007
【図６】
2013134382.tif 000008
【図７】
2013134382.tif 000009